(57)【要約】【課題】ＳＩ燃焼制御モードからＨＣＣＩ燃焼制御モードへの切り換え時に、燃焼室内の環境温度を高く維持して、ＳＩ燃焼制御モードからＨＣＣＩ燃焼制御モードへの移行を良好に行うことができる内燃機関の制御装置を提供することにある。【解決手段】ＳＩ燃焼制御モードからＨＣＣＩ燃焼制御モードに切り換える時に、少なくとも燃料噴射と点火、及び吸排気バルブの開閉位相による昇温制御を実行して、ＨＣＣＩ燃焼に移行する過程で燃焼室内の混合気の圧縮端温度を高めてＨＣＣＩ燃焼制御モードに移行させる。ＳＩ燃焼制御モードからＨＣＣＩ燃焼制御モードとの切り換える過程で、燃料噴射と点火、及び吸排気バルブの開閉位相が適切に制御されてシリンダ内の混合気の圧縮端温度がＨＣＣＩ燃焼に適した温度に設定でき、ＳＩ燃焼制御モードからＨＣＣＩ燃焼制御モードへの移行を良好に行うことができる。【選択図】図９
2020029788.tif 000002
【特許請求の範囲】
【請求項１】
少なくとも、燃焼室に燃料を供給して可燃混合気を形成する燃料制御手段と、前記燃焼室の中の可燃混合気に点火する点火制御手段と、前記燃焼室に設けられた吸気バルブと排気バルブの開閉位相を変更する吸排気可変バルブ機構とを備えた内燃機関に使用され、前記点火制御手段による予混合火花点火燃焼(以下、ＳＩ燃焼と表記する)と、ピストンの圧縮作用による予混合圧縮着火燃焼(以下、ＨＣＣＩ燃焼と表記する)とを切り換えて制御する制御手段を備えた内燃機関の制御装置において、
前記制御手段は、前記ＳＩ燃焼を行なうＳＩ燃焼制御モードから前記ＨＣＣＩ燃焼を行なうＨＣＣＩ燃焼制御モードに切り換える時に、少なくとも、前記燃料制御手段による燃料噴射量、前記点火制御手段による点火時期、及び前記吸排気可変バルブ機構による開閉位相を制御して、前記ＨＣＣＩ燃焼に移行する過程で前記燃焼室内の混合気の圧縮端温度を高めてＨＣＣＩ燃焼制御モードに移行させる昇温制御を実行する
ことを特徴とする内燃機関の制御装置。
【請求項２】
請求項１に記載の内燃機関の制御装置において、
前記昇温制御は、
前記燃料制御手段による燃料の供給と、前記点火制御手段による点火と、前記吸排気可変バルブ機構によるネガティブバルブオーバーラップ(以下、Ｎ-Ｏ/Ｌと表記する)によって昇温を行なう昇温ＳＩ燃焼制御モードと、
前記燃料制御手段による燃料の停止と、前記点火制御手段による点火の停止と、前記吸排気可変バルブ機構によるＮ-Ｏ/Ｌによって昇温を行なう昇温中間燃焼制御モードと、
前記燃料制御手段による燃料の供給と、前記点火制御手段による点火と、前記吸排気可変バルブ機構によるＮ-Ｏ/Ｌによって昇温を行なう昇温切り換え燃焼制御モードと
からなり、
前記制御手段は、
前記ＳＩ燃焼制御モードから前記ＨＣＣＩ燃焼を行なうＨＣＣＩ燃焼制御モードに切り換える時に、少なくとも前記ＳＩ燃焼制御モードから前記昇温中間燃焼制御モードに移行させ、前記昇温中間燃焼制御モードから前記昇温切り換え燃焼制御モードに移行させ、前記昇温切り換え燃焼制御モードから前記ＨＣＣＩ燃焼制御モードに移行させる
ことを特徴とする内燃機関の制御装置。
【請求項３】
請求項２に記載の内燃機関の制御装置において、
前記制御手段は、
前記ＳＩ燃焼制御モードと前記昇温中間燃焼制御モードの間に、前記昇温ＳＩ燃焼制御モードを実行する
ことを特徴とする内燃機関の制御装置。
【請求項４】
請求項２に記載の内燃機関の制御装置において、
前記制御手段は、
前記昇温ＳＩ燃焼制御モードにおける可燃混合気の筒内ガス燃料比を、量論混合比の近傍の筒内ガス燃料比に制御し、また、前記昇温ＳＩ燃焼制御モードにおける点火時期を、前記ＳＩ燃焼制御モードでの点火時期より遅角した点火時期に制御し、
前記昇温切り換え燃焼制御モードにおける可燃混合気の筒内ガス燃料比を、量論混合比の近傍の筒内ガス燃料比に制御し、また、前記昇温切り換え燃焼制御モードにおける点火時期を、前記ＳＩ燃焼制御モードでの点火時期より遅角した点火時期に制御する
ことを特徴とする内燃機関の制御装置。
【請求項５】
請求項４に記載の内燃機関の制御装置において、
前記制御手段は、
前記昇温ＳＩ燃焼制御モードにおける点火時期と、前記昇温切り換え燃焼制御モードでの点火時期を同じに設定する
ことを特徴とする内燃機関の制御装置。
【請求項６】
請求項２に記載の内燃機関の制御装置において、
前記制御手段は、
前記昇温ＳＩ燃焼制御モードにおける可燃混合気の空燃比を、量論混合比の近傍の筒内ガス燃料比に制御し、また、前記昇温ＳＩ燃焼制御モードにおける点火時期を、前記ＳＩ燃焼制御モードでの点火時期より遅角した点火時期に制御し、
前記昇温切り換え燃焼制御モードにおける可燃混合気の筒内ガス燃料比を、量論混合比より希薄な筒内ガス燃料比に制御し、また、前記昇温切り換え燃焼制御モードにおける点火時期を、前記ＳＩ燃焼制御モードでの点火時期より遅角し、かつ前記昇温ＳＩ燃焼制御モードにおける点火時期より進角した点火時期にする制御する
ことを特徴とする内燃機関の制御装置。
【請求項７】
請求項４或いは請求項６に記載の内燃機関の制御装置において、
前記制御手段は、
前記ＳＩ燃焼制御モードから前記ＨＣＣＩ燃焼制御モードに移行する時に過給機を作動させる
ことを特徴とする内燃機関の制御装置。
【請求項８】
請求項４或いは請求項６に記載の内燃機関の制御装置において、
前記制御手段は、
前記ＳＩ燃焼制御モードから前記ＨＣＣＩ燃焼制御モードに移行する時に、過給機の下流に設けたインタークーラを通った空気量を減少し、前記インタークーラを通らない空気量を増加する
ことを特徴とする内燃機関の制御装置。
【請求項９】
少なくとも、燃焼室に燃料を供給して可燃混合気を形成する燃料制御手段と、前記燃焼室の中の可燃混合気に点火する点火制御手段と、前記燃焼室に設けられた吸気バルブと排気バルブの開閉位相を変更する吸排気可変バルブ機構と、前記点火制御手段による予混合火花点火燃焼(以下、ＳＩ燃焼と表記する)と、ピストンの圧縮作用による予混合圧縮着火燃焼(以下、ＨＣＣＩ燃焼と表記する)とを切り換える制御手段を備えた内燃機関の制御方法において、
前記制御手段は、
前記ＳＩ燃焼を行なうＳＩ燃焼制御モードから前記ＨＣＣＩ燃焼を行なうＨＣＣＩ燃焼制御モードに切り換え、
前記ＨＣＣＩ燃焼に移行する過程で、少なくとも、前記燃料制御手段による燃料噴射量、前記点火制御手段による点火時期、及び前記吸排気可変バルブ機構による開閉位相を制御して前記燃焼室の中の混合気の圧縮端温度を順次高めてＨＣＣＩ燃焼制御モードに移行させる
ことを特徴とする内燃機関の制御方法。
【発明の詳細な説明】
【技術分野】
【０００１】
本発明は内燃機関の制御装置及び制御方法に係り、特に、予混合火花点火燃焼方式と、予混合圧縮着火燃焼方式を切り換える内燃機関の制御装置及び制御方法に関するものである。
【背景技術】
【０００２】
点火プラグによる予混合火花点火燃焼方式を採用した内燃機関は、熱効率の向上を目的として圧縮比を高め過ぎると、例えば、ノッキングやプレイグニションと呼ばれる異常燃焼を発生するため、高圧縮比化による熱効率の向上には限界がある。そこで、新気や排気ガスによって希釈された希薄な可燃混合気を、ピストンで圧縮して自己着火燃焼を行う予混合圧縮着火燃焼方式を採用した内燃機関の開発が進められている。
【０００３】
尚、以下の説明では図面も含めて、予混合火花点火燃焼を「ＳＩ燃焼」（Ｓｐａｒｋ  Ｉｇｉｔｉｏｎ）と表記し、予混合圧縮着火燃焼を「ＨＣＣＩ燃焼」（Ｈｏｍｏｇｅｎｅｏｕｓ  Ｃｈａｒｇｅ  Ｃｏｍｐｒｅｓｓｉｏｎ  Ｉｇｎｉｔｉｏｎ）と表記する。
【０００４】
ＨＣＣＩ燃焼方式の内燃機関は、従来のＳＩ燃焼方式の内燃機関と比較して、圧縮比を高く設定することができ、更に希薄混合気の燃焼による燃焼温度の低下作用により、冷却損失(シリンダ壁面の温度上昇)やＮＯｘの低減を実現できる。しかしながら、ＨＣＣＩ燃焼では、混合気の着火タイミングが、圧縮行程における化学反応の過程に依存するため、シリンダ内の温度、新気や排気ガスによる希釈割合、燃料噴射タイミング等を正確に管理する必要がある。
【０００５】
ＨＣＣＩ燃焼方式の内燃機関では、正常な燃焼を実現できる運転可能範囲が従来のＳＩ燃焼方式の内燃機関よりも狭く、実用運転範囲の全体をカバーすることができない。このため、ＳＩ燃焼制御モードと、ＨＣＣＩ燃焼制御モードとの切り換えが必要となる。ＳＩ燃焼制御モードと、ＨＣＣＩ燃焼制御モードとでは、可燃混合気の濃度、燃焼室の温度等の環境条件が大きく異なるため、燃焼モードの切り換え時に、燃料噴射時間や点火時期等の制御指令値を単純に切換えるだけでは、失火及び異常燃焼によって排気有害成分の増加や、運転性の悪化を招くという課題がある。
【０００６】
このような課題を解決する手段として、例えば、特開２０１５−１４０７２８号公報（特許文献１）には、ＳＩ燃焼制御モードからＨＣＣＩ燃焼制御モードに切り換える際に、中間状態として、燃料カットを実施しながら実効圧縮比を増大させる制御を実施することが提案されている。この特許文献1の制御装置によれば、一方の燃焼モードから他方の燃焼モードへ効率よく切り換えることができると述べられている。
【先行技術文献】
【特許文献】
【０００７】
【特許文献１】特開２０１５−１４０７２８号公報
【発明の概要】
【発明が解決しようとする課題】
【０００８】
ところで、特許文献１においては、ＳＩ燃焼制御モードからＨＣＣＩ燃焼制御モードに切り換える際の中間状態として、燃料カットを実施しながら回転数を低下させる制御を行なっている。したがって、ＳＩ燃焼制御モードからＨＣＣＩ燃焼制御モードに移行する時、燃料カットによって燃焼が実行されていないので、燃焼室内の環境温度が急激に低下してＨＣＣＩ燃焼を実行する環境条件が成立しない恐れがあり、ＳＩ燃焼制御モードからＨＣＣＩ燃焼制御モードへの移行が良好に行えないという課題があった。
【０００９】
本発明の目的は、ＳＩ燃焼制御モードからＨＣＣＩ燃焼制御モードへの切り換え時に、ＳＩ燃焼制御モードからＨＣＣＩ燃焼制御モードへの移行を良好に行える環境条件を形成することができる新規な内燃機関の制御装置及び制御方法を提供することにある。
【課題を解決するための手段】
【００１０】
本発明の主たる特徴は、ＳＩ燃焼制御モードからＨＣＣＩ燃焼制御モードに切り換える時に、少なくとも燃料噴射量と点火時期、及び吸排気バルブの開閉位相による昇温制御を実行して、ＨＣＣＩ燃焼に移行する過程で燃焼室内の混合気の圧縮端温度を高めてＨＣＣＩ燃焼制御モードに移行させる、ところにある。
【発明の効果】
【００１１】
本発明によれば、ＳＩ燃焼制御モードからＨＣＣＩ燃焼制御モードとの切り換える過程で、燃料噴射量と点火時期、及び吸排気バルブの開閉位相が適切に制御されて燃焼室内の混合気の圧縮端温度がＨＣＣＩ燃焼に適した温度に設定でき、ＳＩ燃焼制御モードからＨＣＣＩ燃焼制御モードへの移行を良好に行うことができる。
【図面の簡単な説明】
【００１２】
【図１】本発明が適用される内燃機関システムの構成を示すシステム構成図である。
【図２】可燃混合気の筒内ガス燃料比(Ｇ/Ｆ)と可燃混合気の圧縮端温度とに基づく燃焼領域を説明する説明図である。
【図３】吸気バルブと排気バルブの位相とリフトを制御する場合の、夫々のバルブ特性を説明する説明図である。
【図４】吸気バルブと排気バルブの位相及び内部ＥＧＲと燃焼室の環境温度の変化を説明する説明図である。
【図５Ａ】噴射パルス幅に対する噴射流量の特性を説明する特性図である。
【図５Ｂ】圧縮端温度と噴射パルス幅に基づく混合気の燃焼形態を説明する説明図である。
【図６】本発明の代表的な実施形態を説明する制御フローで、ＳＩ燃焼制御モードからＨＣＣＩ燃焼制御モードへの切り換え時の制御フローを説明するフローチャート図である。
【図７】本発明の第１の実施形態における、ＳＩ燃焼制御モードからＨＣＣＩ燃焼制御モードへの切り換え時の代表的な制御目標値の動作を説明する説明図である。
【図８】図７に示すＳＩ燃焼制御モードからＨＣＣＩ燃焼制御モードへの切り換え時の代表的な状態量の変化を説明する説明図である。
【図９】図７に示すＳＩ燃焼制御モードからＨＣＣＩ燃焼制御モードへの切り換え時の、可燃混合気の筒内ガス燃料比(Ｇ/Ｆ)と圧縮端温度に基づく燃焼状態の遷移を説明する説明図である。
【図１０】本発明の第２の実施形態における、ＳＩ燃焼制御モードからＨＣＣＩ燃焼制御モードへの切り換え時の代表的な制御目標値の動作を説明する説明図である。
【図１１】図１０に示すＳＩ燃焼制御モードからＨＣＣＩ燃焼制御モードへの切り換え時の代表的な状態量の変化を説明する説明図である。
【図１２】本発明が適用される他の内燃機関システムの構成を示すシステム構成図である。
【図１３】図１２に示す内燃機関システムを対象にした、本発明の第３の実施形態における、ＳＩ燃焼制御モードからＨＣＣＩ燃焼制御モードへの切り換え時の代表的な制御目標値の動作を説明する説明図である。
【図１４】図１３に示すＳＩ燃焼制御モードからＨＣＣＩ燃焼制御モードへの切り換え時の代表的な状態量の変化を説明する説明図である。
【図１５】図１４に示すＳＩ燃焼制御モードからＨＣＣＩ燃焼制御モードへの切り換え時の、可燃混合気の筒内ガス燃料比(Ｇ/Ｆ)と圧縮端温度に基づく燃焼状態の遷移を説明する説明図である。
【発明を実施するための形態】
【００１３】
以下、本発明の実施形態について図面を用いて詳細に説明するが、本発明は以下の実施形態に限定されることなく、本発明の技術的な概念の中で種々の変形例や応用例をもその範囲に含むものである。
【実施例１】
【００１４】
以下、本発明の第１の実施形態を図１〜図９を用いて詳細に説明する。尚、第１の実施形態では、ターボ過給機による過給を行なわない非過給条件のもとで、ＨＣＣＩ燃焼を実行できる環境条件が成立した状態で、ＳＩ燃焼制御モードからＨＣＣＩ燃焼制御モードに切り換える時の動作について説明する。
【００１５】
図１は、本発明が適用される内燃機関システムの構成を示している。内燃機関1には、吸気流路（吸気管）と排気流路（排気管）とが接続されている。内燃機関１には、排気ガスの速度や圧力エネルギによってタービン２を回転し、コンプレッサ３によって吸入空気を過給するターボ過給機４が備えられている。コンプレッサ３の下流には、インタークーラ５が備えられており、その更に下流には、吸気流路を通ってシリンダ７に流入する吸入空気量を制御するためのスロットル弁６が組み付けられている。スロットル弁６は、アクセルペダルの踏込量に対応して電動モータで弁開度を制御することができる電子制御式スロットル弁である。
【００１６】
スロットル弁６の下流には、吸気マニホールド８が接続され、吸気マニホールド８には、吸気温度及び吸気圧力を検出する吸気温度/圧力センサ９が組み付けられている。また、吸気マニホールド８の下流には、吸気の流れに偏流を生じさせることによって、シリンダ７Ｃ内の空気流の乱れを強化する流動強化弁１０が配置されている。
【００１７】
シリンダ７Ｃ内にはピストン７Ｐが配置され、更に、シリンダ７Ｃには、シリンダ７Ｃとピストン７Ｐにより形成される燃焼室に、燃料を直接噴射する直接噴射式の燃料噴射弁１１が配置されている。内燃機関１は、吸排気バルブの開閉位相とリフトとを連続的に可変とする可変バルブ機構を、吸気バルブ１２と排気バルブ１３とにそれぞれ備えている。更に、可変バルブ機構には、吸排気バルブの開閉位相とリフトとをそれぞれ検知するためのバルブポジションセンサ１４、１５が、吸気バルブ１２と排気バルブ１３とにそれぞれ組み付けられている。また、シリンダヘッド部には、シリンダ７内に電極部を露出させ、火花スパークによって可燃混合気に点火する点火プラグ１６が組み付けられている。
【００１８】
クランク軸には、クランク角度センサ１７が組み付けられており、クランク角度センサ１７から出力される信号に基づき、内燃機関１の回転速度を検出することができる。更に、機関トルクの変動を抑制するため、モータ機能付きオルタネータ２１が連結されている。本実施形態では、機関トルクの変動が生じる場合において、モータ機能が備えられたオルタネータ２１を駆動して、機関トルクの変動を抑制することができる。
【００１９】
排気流路には、排気ガス温度と排気ガス圧力とを検知するための排気温度/圧力センサ１８が組み付けられている。排気流路における排気温度/圧力センサ１８の下流には、上述のターボ過給機４のタービン２が配置されている。タービン２の下流には、空燃比センサ１９が組み付けられており、空燃比センサ１９の検出信号に基づき、燃料噴射弁１１から供給される燃料噴射量が、目標空燃比となるようにフィードバック制御が行われている。
【００２０】
更に、本実施形態においては図１に示すように、電子制御手段であるＥＣＵ(Ｅｎｇｉｎｅ Ｃｏｎｔｒｏｌ Ｕｎｉｔ)２０を備えている。ＥＣＵ２０には、上述した各種センサと各種アクチュエータとが接続されている。スロットル弁６、燃料噴射弁１１、可変バルブ機構付き吸排気バルブ１２及び１３等のアクチュエータは、ＥＣＵ２０からの制御信号が出力されることで制御されている。更に、上述した各種センサより入力されたセンサ信号に基づき、内燃機関１の運転状態を検知し、運転状態に応じてＥＣＵ２０によって各種の制御信号が演算されている。尚、以下の説明では、ＥＣＵ２０から燃料噴射弁１１に送られる信号を噴射信号、点火プラグ１６に送られる信号を点火信号とする。
【００２１】
図２は、シリンダ７内の可燃混合気の筒内ガス燃料比(Ｇ/Ｆ)と圧縮端温度とに基づいた運転可能な領域を示している。圧縮端温度とは、ＳＩ燃焼時においては可燃混合気の点火直前の燃焼室内の環境温度（＝筒内雰囲気温度）を表し、ＨＣＣＩ燃焼においては可燃混合気の自己着火直前の燃焼室の環境温度を表すものである。したがって、以下の説明では、圧縮端温度を燃焼室の環境温度とも表記することもある。
【００２２】
図２において、「ＳＩストイキ燃焼領域」は、圧縮端温度が低く、混合気が均質で、その筒内ガス燃料比(Ｇ/Ｆ)が量論混合比の近傍で運転される領域であり、「ＳＩリーン燃焼領域」は、圧縮端温度が低く、混合気が均質で、その空燃比及び筒内ガス燃料比(Ｇ/Ｆ)が希薄なリーン混合比で運転される領域である。尚、量論混合比の近傍とは、排気中のＨＣ、ＣＯ、ＮＯｘ等を三元触媒で浄化可能な範囲を含むものである。「ＳＩ燃焼ノック領域」は、圧縮端温度の増加によってノック限界温度Ｔｎｏｃｋを超えるとノッキングが発生する領域であり、この「ＳＩ燃焼ノック領域」での燃焼を避けて運転を行なうことが必要である。
【００２３】
次に、「ＨＣＣＩリーン燃焼領域」は、点火プラグ１６による火花点火を停止して可燃混合気の圧縮自己着火によって燃焼する領域を表している。この「ＨＣＣＩリーン燃焼領域」は圧縮端温度が高く、混合気が均質で、その空燃比が希薄なリーン混合比で運転される領域である。この「ＨＣＣＩリーン燃焼領域」は「ＳＩリーン燃焼領域」より更に空燃比がリーンである。
【００２４】
また、「ＨＣＣＩ燃焼ノック領域」は、「ＨＣＣＩリーン燃焼領域」よりも混合気の筒内ガス燃料比(Ｇ/Ｆ)がリッチ側で発熱量が多く、ＨＣＣＩ燃焼制御モードで運転した場合、圧縮端温度の増大からノッキングが発生する領域である。更に「失火領域」は、圧縮端温度の低下と混合気の筒内ガス燃料比(Ｇ/Ｆ)がリーン側に移行することで、失火が発生する領域である。燃料が噴射された状態で失火を生じると、多量のＨＣが排出されるという大きな課題を生じるので、この領域での燃焼を避けて運転を行なうことが必要である。
【００２５】
このように、「ＨＣＣＩ燃焼ノック領域」と「失火領域」での燃焼を避けて運転を行なうことが必要である。したがって、「ＳＩストイキ燃焼領域」のＳＩ燃焼制御モードから「ＨＣＣＩリーン燃焼領域」のＨＣＣＩ燃焼制御モードに切り換える場合においては、混合気の筒内ガス燃料比(Ｇ/Ｆ)が大きく異なるために、特許文献１のように燃料カットや実効圧縮比の増大といった切り換え制御を行なうことが有効である。
【００２６】
しかしながら、燃料噴射弁１１や可変バルブ機構等の各種アクチュエータの応答性から、即座に「ＳＩストイキ燃焼領域」、或いは「ＳＩリーン燃焼領域」のＳＩ燃焼制御モードから「ＨＣＣＩリーン燃焼領域」のＨＣＣＩ燃焼制御モードに切換えることは困難である。このため、ＳＩ燃焼制御モードからＨＣＣＩ燃焼制御モードに移行する時に、実効圧縮比の増大を行なうにしても燃料カットの影響(掃気による)によって、燃焼室内の環境温度が急激に低下してＨＣＣＩ燃焼を実行する環境条件が成立しない恐れがあり、ＳＩ燃焼制御モードからＨＣＣＩ燃焼制御モードへの移行が良好に行えない状態を惹起する。
【００２７】
したがって、「ＳＩストイキ燃焼領域」或いは「ＳＩリーン燃焼領域」のＳＩ燃焼制御モードから「ＨＣＣＩリーン燃焼領域」のＨＣＣＩ燃焼制御モードに切り換える場合においては、ＨＣＣＩ燃焼を実行する環境条件、特に圧縮端温度を適切に制御してやることが必要である。
【００２８】
図３は、位相可変型の可変バルブ機構とリフト可変型の可変バルブ機構の動作を示している。図３(Ａ)は、位相可変型の可変バルブ機構の例を示しており、バルブの開いている期間(バルブ作動角)を一定として、開閉位相のみを変化させることができる。また、図３(Ｂ)は、リフト可変型の可変バルブ機構の例を示しており、バルブリフトと作動角とを同時に変化させることができる。更に、図３(Ｃ)は、位相可変バルブ機構とリフト可変バルブ機構との両方を用いる例を示しており、バルブ開時期、またはバルブ閉時期のいずれかを固定した状態で、バルブ閉時期またはバルブ開時期とリフトとを同時に変化させることができる。
【００２９】
本実施形態は、これらの可変バルブ機構を用いて実効圧縮比を高める制御を併用している。つまり、本実施形態では、位相可変型の可変バルブ機構とリフト可変機構型の可変バルブ機構とを用いて実効圧縮比を高める制御を実行することで、燃焼室内の環境温度を上昇させるようにしている。
【００３０】
この環境温度を高める簡単な理由を図４において説明する。図４において、ＥＶＯは排気バルブの開時期、ＥＶＣは排気バルブの閉時期、ＩＶＯは吸気バルブの開時期、ＩＶＣは吸気バルブの閉時期を表している。そして、位相可変型の可変バルブ機構とリフト可変機構型の可変バルブ機構とを用いて、位相とリフトとを同時に操作することで、図４(Ａ)のバルブ開閉特性から、図４(Ｂ)のバルブ開閉特性になるように、吸気バルブと排気バルブの位相及びリフトを変化させることができる。
【００３１】
図４(Ｂ)にある通り、本実施形態では、ＳＩ燃焼制御モードからＨＣＣＩ燃焼制御モードに移行する時に、排気バルブの閉時期ＥＶＣと吸気バルブの開時期ＩＶＯとの間には、ネガティブバルブオーバーラップ(以下、Ｎ-Ｏ/Ｌと表記する)区間が形成される。尚、図４(Ａ)では、排気バルブの閉時期ＥＶＣと吸気バルブの開時期ＩＶＯとが重なり、ポジティブバルブオーバーラップ(Ｐ-Ｏ/Ｌと表記する)区間が形成される。
【００３２】
このＮ−Ｏ/Ｌが形成されると、排気行程から吸気行程に至る過程で、排気バルブと吸気バルブが閉じられているため、排気ガスは燃焼室に閉じ込められて内部ＥＧＲ(残留燃焼ガス)の量が多くなる。図４(Ｃ)は内部ＥＧＲ量を示しており、Ｎ−Ｏ/Ｌが形成される状態(実線で表示)の方が、Ｎ−Ｏ/Ｌが形成されない状態(破線で表示)に比べて内部ＥＧＲ量が多くなっている。
【００３３】
このため、図４(Ｄ)にある通り、Ｎ−Ｏ/Ｌが形成される状態(実線で表示)の方が、Ｎ−Ｏ/Ｌが形成されない状態(破線で表示)に比べて燃焼室の環境温度の低下が少なくなっている。更に、Ｎ−Ｏ/Ｌ区間でピストン７Ｐによって燃焼室内の残留燃焼ガスが圧縮されるため、燃焼室の環境温度は更に高くなる。これによって、ＳＩ燃焼制御モードからＨＣＣＩ燃焼制御モードに移行する時の燃焼室の環境温度を高めて、ＨＣＣＩ燃焼制御モードが実行できる環境に近づけることができる。尚、いうまでもないが、Ｎ−Ｏ/Ｌ区間がある場合の方が、ＳＩ燃焼及びＨＣＣＩ燃焼での圧縮端温度が増加するものである。
【００３４】
図５Ａは、噴射パルス幅に対する噴射量を示しており、噴射パルス幅が増大すると共に噴射量は増大するが、噴射パルス幅が一定値（ＴＱｍｉｎ）に満たないと、噴射パルス幅に対する噴射流量は誤差が増大して要求噴射流量を満たすことができない。本実施形態では、図５Ａにおいて、要求噴射流量を満たす時の最少噴射流量をＱｍｉｎ、噴射パルス幅を最少噴射パルス幅ＴＱｍｉｎと定義する。また、最少噴射パルス幅ＴＱｍｉｎ未満の噴射パルス（区間Ｔにおける噴射パルス）が１回または複数回発生しても、本実施形態では噴射が停止したと見做している。
【００３５】
図５Ｂは、圧縮端温度と混合気の筒内ガス燃料比(Ｇ/Ｆ)に基づく混合気の燃焼可能性を示している。燃焼過程のノッキングは、混合気の未燃焼部分（＝未燃混合気）が混合気の燃焼部分（＝既燃混合気）の圧力上昇の影響で圧縮され、自己着火することが一因である。図５Ｂに示す自己着火限界とは混合気が自己着火を生じて燃焼する限界であり、圧縮端温度が上昇すると混合気が自己着火する傾向にあることを示している。尚、噴射パルス幅が大きくなって、混合気の空燃比がリッチ側に移行して行くと、圧縮端温度が低くても自己着火限界が低下していき自己着火しやすくなっている。
【００３６】
火炎伝播限界とは、混合気が点火プラグの放電により着火する限界であり、火炎伝播限界以上の噴射パルス幅で燃料が噴射された場合、混合気が着火して火炎伝播することを示している。また、圧縮端温度の増大で、火炎伝播限界が噴射パルスの減少側に増大することを示している。ここで、図５Ｂの火炎伝播限界や自己着火限界は、回転数及び要求トルクにより変動する。
【００３７】
そして、自己着火及び火炎伝播が不可能な領域（図５Ｂの実線で囲まれた領域）は燃焼が発生しない、或いは燃焼が発生しても火炎が安定して形成されない領域となる。本実施形態では、図５Ｂの実線で囲まれた領域を失火領域と定義している。また、図５Ｂにおいて、図５Ａで定義した区間Ｔにおける噴射パルス幅を重ねるとわかるように、区間Ｔにおける噴射パルスが１回または複数回発生しても、失火領域に入るため、燃焼が発生しないことが分かる。
【００３８】
次に、本発明の代表的な実施形態となる、ＳＩ燃焼制御モードからＨＣＣＩ燃焼制御モードへの切り換え時の制御フローについて図６を用いて説明する。尚、この制御フローは１燃焼サイクル毎に実行されるものである。
【００３９】
≪ステップＳ１０≫
ステップＳ１０においては、各種センサから内燃機関の動作状態量を検出する。例えば、吸気温度/圧力センサ９、バルブポジションセンサ１４、１５、空燃比センサ１９、及びこれら以外の必要なセンサから内燃機関の状態量を検出する。内燃機関の動作状態量が検出されるとステップＳ１１に移行する。
【００４０】
≪ステップＳ１１≫
ステップＳ１１では、吸気温度、吸気圧力及び吸気バルブの開時期と閉時期から筒内に流入する筒内空気量を推定する。尚、これ以外のセンサ情報から筒内空気量を求めることも可能である。更に、求められた筒内空気量、目標筒内ガス燃料比(Ｇ/Ｆ)、及び目標トルク等から必要とする燃料噴射量を決定する。ここで、燃料噴射量は噴射パルス幅に置き換えられる。
【００４１】
更に、ステップＳ１１では、吸気温度、吸気圧力、排気バルブの閉時期から燃焼室内の圧縮端温度Ｔｃを推定する。圧縮端温度Ｔｃは、先ず吸気温度、吸気圧力、排気バルブの閉時期とから内部ＥＧＲガス量を推定する。尚、この推定は物理モデルを構築することで求めることができる。
【００４２】
内部ＥＧＲ量が推定されると、吸気バルブの閉時期における燃焼室容積と上死点における燃焼室容積の比により定義される実効圧縮比を求める。更に、吸気バルブの閉時期における筒内温度と比熱比から断熱圧縮を仮定した演算によって圧縮端温度の推定値Ｔｃを推定する。この圧縮端温度の推定値Ｔｃも物理モデルを構築することで求めることができる。燃料噴射量、圧縮端温度Ｔｃ、実効圧縮比を求めるとステップＳ１２に移行する。
【００４３】
≪ステップＳ１２≫
ステップＳ１２では、目標筒内ガス燃料比(Ｇ/Ｆ)、及び圧縮端温度Ｔｃを読み込み、更に吸気側のポジションセンサ１４と排気側のポジションセンサ１５から、現在の吸排気バルブの位相角と作動角を求める。これらのパラメータが求まるとステップＳ１３に移行する。
【００４４】
≪ステップＳ１３≫
ステップＳ１３においては、現在の内燃機関の燃焼モードが変更されるかどうかの判定を行なっている。燃焼モードの変更が要請されていない場合はステップ１４に移行し、燃焼モードの変更が要請されている場合はステップＳ１５に移行する。
【００４５】
≪ステップＳ１４≫
ステップＳ１４においては、現在の内燃機関の燃焼モードの変更が要請されていないので、現在の燃焼モードを継続する。本実施形態では、ＳＩ燃焼制御モードからＨＣＣＩ燃焼制御モードに移行する場合を想定しているので、ステップＳ１４ではＳＩ燃焼制御モードを継続する。尚、このステップＳ１４で実行される燃焼モードは、後述の図７で説明するモード１に該当するものである。ＳＩ燃焼制御モードを継続すると、エンドに抜けて次の燃焼サイクルの起動タイミングを待つことになる。
【００４６】
≪ステップＳ１５≫
ステップＳ１３で燃焼モードの変更が要請されていると判定されているので、ステップＳ１５では、現在の燃焼モードがＳＩ燃焼制御モードかどうかを判定している。この判定には、次の判定条件を満たすかどうかによって、ＳＩ燃焼制御モードかどうかを判定することができる。
【００４７】
（１）第１の判定条件は、ステップＳ１２で読み込まれた目標筒内ガス燃料比(Ｇ/Ｆ)が量論混合比の近傍に制御されていることである。(図２参照)
（２）第２の判定条件は、圧縮端温度ＴｃがＳＩ燃焼でのノッキング限界温度Ｔknockを下回ることである。(図２参照)
（３）第３の判定条件は、次の燃焼サイクルに吸排気バルブの位相角と作動角が、ＨＣＣI燃焼での目標操作値に移行できないと判定されることである。
（４）第４の判定条件は、次の燃焼サイクルの吸排気バルブの位相角と作動角から推定される圧縮端温度Ｔｃと噴射パルス幅の関係から、図５Ｂに示す自己着火限界を下回ることである。
【００４８】
そして、上記の各判定基準の全てを満たす場合に限り、ＳＩ燃焼制御モードと判定している。ＳＩ燃焼制御モードと判定されるとステップＳ１６に移行し、ＳＩ燃焼制御モードと判定されないとステップＳ１９に移行する。
【００４９】
≪ステップＳ１６≫
ステップＳ１６では、ステップＳ１２で求められた目標筒内ガス燃料比(Ｇ/Ｆ)及び圧縮端温度Ｔｃから、「昇温ＳＩ燃焼制御モード」が可能か判定する。この判定には、次の判定条件を満たすかどうかによって、昇温ＳＩ燃焼制御モードが可能かどうかを判定することができる。尚、昇温ＳＩ燃焼制御モードとは、ＳＩ燃焼のもとで燃焼室の環境温度を高める制御を意味している。この昇温ＳＩ燃焼制御モードについては後述する。
【００５０】
（１）第１の判定条件は、次の燃焼サイクルの昇温ＳＩ制御モードで圧縮端温度ＴｃがＳＩ燃焼でのノッキング限界温度Ｔｋｎｏｃｋを超える(Ｔｃ＞Ｔｋｎｏｃｋ)ことである。
（２）第２の判定条件は、３燃焼サイクル後に吸排気バルブの位相角と作動角がＨＣＣI燃焼における目標操作値の近傍に到達できることである。尚、第２の判定条件では、３燃焼サイクル後に吸排気バルブの位相角と作動角がＨＣＣＩ燃焼における目標操作値の近傍に到達できると判定された場合としたが、必ずしも３燃焼サイクルに限らず、３燃焼サイクルより前、或いは後の燃焼サイクルで判定しても良いものである。
（３）第３の判定条件は、３燃焼サイクル後の吸排気バルブの位相角と作動角から推定される圧縮端温度Ｔｃと噴射パルス幅の関係から、図５Ｂに示す自己着火限界を上回ることである。
【００５１】
そして、上記の判定基準の全てを満たさない場合は、昇温ＳＩ燃焼制御モードを実行できると判定してステップＳ１７に移行する。また、上記の判定基準の何れか少なくとも一つ満たす場合は、昇温ＳＩ燃焼制御モードを実行できないとしてステップＳ１８に移行する。
【００５２】
≪ステップＳ１７≫
ステップＳ１６で昇温ＳＩ燃焼制御モードを実行することが可能と判定されているので、ステップＳ１７においては、昇温ＳＩ燃焼制御モードを実行する。この昇温ＳＩ燃焼制御モードは、ＳＩ燃焼のもとで燃焼室の環境温度を高める制御を行なうものであり、その具体的な方法は図７で詳細に説明する。尚、このステップＳ１７で実行される燃焼モードは、後述の図７で説明するモード２に該当するものである。昇温ＳＩ燃焼制御モードを実行するとエンドに抜けて次の燃焼サイクルの起動タイミングを待つことになる。
【００５３】
≪ステップＳ１８≫
一方、ステップＳ１６で昇温ＳＩ燃焼制御モードを実行することができないと判定されているので、ステップＳ１８においては、「昇温中間燃焼制御モード」を実行する。この昇温中間燃焼制御モードは、昇温ＳＩ燃焼制御で実行していた燃料噴射制御、及び点火制御を停止させると共に、吸排気バルブをＨＣＣI燃焼の目標操作値に移行させる制御を行なうものであり、その具体的な方法は図７で詳細に説明する。尚、このステップＳ１８で実行される昇温中間燃焼制御モードは、後述の図７で説明するモード３に該当するものである。昇温中間燃焼制御モードを実行するとエンドに抜けて次の燃焼サイクルの起動タイミングを待つことになる。
【００５４】
≪ステップＳ１９≫
ステップＳ１５でＳＩ燃焼領域ではないと判定されているので、ステップＳ１９においては、昇温中間燃焼制御モードを実施しているかどうかを判定している。図６に示す制御フローは、上述したように燃焼サイクル毎に起動されているので、ステップ１９が実行される前の起動タイミングでは、ステップＳ１８の昇温中間燃焼制御モードが実行されている。したがって、ステップＳ１９では前の燃焼サイクルの燃焼状態が判定される。以下の制御ステップにおいても同様である。
【００５５】
ここで、ステップＳ１９では、昇温中間燃焼制御モードかどうかが判定されており、その判定基準は次の通りである。
（１）第１の判定条件は、圧縮端温度Ｔｃと図５Ｂにおける噴射パルスが失火領域に入るように制御されていることである。
(２)第２の判定条件は、吸排気バルブの位相角と作動角が、ＨＣＣＩ燃焼制御モードの目標操作値への移行過程に制御されていることである。
【００５６】
そして、上記の判定基準の全てを満たす場合は、昇温中間燃焼制御モードであると判定してステップＳ２０に移行する。また、上記の判定基準の何れか少なくとも一つを満たさない場合は、昇温中間燃焼制御モードでは無いとしてステップＳ２２に移行する。
【００５７】
≪ステップＳ２０≫
ステップＳ１９で昇温中間燃焼制御モードであると判定されているので、ステップＳ２０においては、ＨＣＣＩ燃焼が可能かどうかを判定している。その判定基準は次の通りである。
（１）現在の吸排気バルブの位相角と作動角から２燃焼サイクル後に吸排気バルブの位相角と作動角がＨＣＣI燃焼の目標操作値に移行できることである。
【００５８】
そして、ＨＣＣI燃焼の目標操作値に移行できると判定された場合、ＨＣＣＩ燃焼制御モードで運転できると判定してステップＳ２１に移行する。一方、ＨＣＣＩ燃焼制御モードで運転できないと判定されると、ステップＳ１８に移行して昇温中間燃焼制御モードを継続する。
【００５９】
≪ステップＳ２１≫
ステップＳ２０でＨＣＣＩ燃焼制御モードを実行することができると判定されているので、ステップＳ２１においては、「昇温切り換え燃焼制御モード」を実行する。この昇温切り換え燃焼制御モードは、昇温中間燃焼制御モードの目標操作値を維持したまま、燃料噴射制御及び点火制御を再開させ、混合気の筒内ガス燃料比(Ｇ/Ｆ)を量論混合比の近傍に保持してＳＩ燃焼を実行するものであり、その具体的な方法は図７で詳細に説明する。
【００６０】
尚、このステップＳ２１で実行される昇温切り換え燃焼制御モードは、後述の図７で説明するモード４に該当するものである。昇温切り換え燃焼制御モードを実行するとエンドに抜けて次の燃焼サイクルの起動タイミングを待つことになる。
【００６１】
≪ステップＳ２２≫
ステップＳ１９の判定基準によって昇温中間燃焼制御モードかどうかが判定され、昇温中間燃焼制御モードでは無いと判定されるとステップＳ２２のＨＣＣＩ燃焼制御モードが実行される。
【００６２】
尚、このステップＳ２２で実行されるＨＣＣＩ燃焼制御モードは、後述の図７で説明するモード５に該当するものである。ＨＣＣＩ燃焼制御モードを実行するとエンドに抜けて次の燃焼サイクルの起動タイミングを待つことになる。
【００６３】
以上の通り、図６に示す制御フローは１燃焼サイクル毎に起動されるので、基本的には、ＳＩ燃焼制御モードからＨＣＣＩ燃焼制御モードへの切り換え過程においては、ＳＩ燃焼制御モード(モード１)⇒昇温ＳＩ燃焼制御モード(モード２)⇒昇温中間燃焼制御モード(モード３)⇒昇温切り換え燃焼制御モード(モード４)⇒ＨＣＣＩ燃焼制御モード(モード５)の順に実行されるものである。ただ、燃焼サイクルカウンタを設けて、複数の燃焼サイクル、例えば、２燃焼サイクル毎に割り込みをかけて上述の制御フローを実行することも可能である。この場合、連続する燃焼サイクルは同じ燃焼制御モードを実行することになる。
【００６４】
次に、各燃焼制御モードの具体的な燃焼制御について図７、図８に基づき説明する。図７は、ＳＩ燃焼制御モードからＨＣＣＩ燃焼制御モードへの切換え過程での各アクチュエータの制御目標値の変化を示している。そして、横軸に時間経過を示し、縦軸に吸気管圧力、燃料噴射量、点火時期、吸排気バルブタイミング、及びオルタネータアシストの各制御目標値を示している。
【００６５】
同様に、図８には、ＳＩ燃焼制御モードからＨＣＣＩ燃焼制御モードへの切換え過程での各状態量の変化を示しており、横軸に時間経過を示し、縦軸に吸気量、筒内ガス燃料比(Ｇ/Ｆ)、圧縮端温度、燃料噴射量、点火時期、及び機関トルクの各制御状態量を示している。
【００６６】
尚、図７、図８において、ＳＩ燃焼制御モードは「モード１」、昇温ＳＩ燃焼制御モードは「モード２」、昇温中間燃焼制御モードは「モード３」、昇温切り換え燃焼制御モードは「モード４」、ＨＣＣＩ燃焼制御モードは「モード５」と表記している。
【００６７】
≪ＳＩ燃焼制御モード（モード１）≫
ＳＩ燃焼制御モードは通常の点火プラグを使用した予混合火花点火燃焼を実行するもので、内燃機関の動作状態に合わせた燃料噴射量、点火時期、吸排気バルブタイミングで動作されている。尚、吸排気バルブタイミングは、バルブオーバーラップを有するポジティブバルブオーバーラップ(Ｐ-Ｏ/Ｌ)に設定されている。
【００６８】
≪昇温ＳＩ燃焼制御モード（モード２）≫
次に、ＳＩ燃焼制御モードからＨＣＣＩ燃焼の昇温切り換え燃焼制御モードに移行する際に、準備段階として図７に示すように昇温ＳＩ燃焼制御モードを実行する。
【００６９】
先ず、図４(Ａ)から図４(Ｂ)にあるように、ＳＩ燃焼制御モードの吸気バルブの開時期（ＩＶＯ）を遅角し、排気バルブの閉時期（ＥＶＣ）を進角する。つまり、圧縮端温度Ｔｃを推定しながらＳＩ燃焼のノッキング限界温度Ｔｋｎｏｃｋより低い場合、上述の吸排気バルブの操作を行い、ノッキング限界温度Ｔｋｎｏｃｋを超えない所定の位置で操作を終了する。
【００７０】
可変バルブ機構を駆動してＮ−Ｏ/Ｌ量を増大すると、内部ＥＧＲ量が増えることで燃焼室の環境温度が上昇する結果、圧縮端温度Ｔｃが増大する。更に、吸気バルブの作動角を増加しつつ、吸気バルブの閉時期を下死点近傍に近づけることによって、Ｎ−Ｏ/Ｌ量が更に大きくなって実圧縮比が増大して圧縮端温度Ｔｃが高くなる。
【００７１】
また、吸気バルブの作動角を増大すると吸気量が増加するが、燃料噴射量も増加させて、混合気の空燃比変動を抑制する。更に、混合気量の増加に基づくトルク変動が大きくならないように点火時期をＳＩ燃焼制御モードの場合より遅角する。これによって、図８に示す通り、混合気量(吸気量)を増やし、筒内ガス燃料比(Ｇ/Ｆ)をストイキ近傍に維持して発熱量を多くすると共に、点火時期の遅角によってトルク変動の発生による運転性の悪化を抑制している。
【００７２】
上述の制御によって、図８に示す通りＨＣＣＩ燃焼制御モードに移行する前に、予め混合量を増大すると共に、実効圧縮比の増大によって、圧縮端温度Ｔｃを高めることができるので、後述の昇温中間燃焼制御モードへの期間を短縮することができる。この結果、ＳＩ燃焼制御モードからＨＣＣＩ燃焼制御モードへの切り換え期間を短縮することができる。昇温ＳＩ燃焼制御モードが完了すると、昇温中間燃焼制御モードが実行される。尚、昇温ＳＩ燃焼ができない場合は、この昇温ＳＩ燃焼制御モードは実行されなく、昇温中間燃焼制御モードが実行される。
【００７３】
≪昇温中間燃焼制御モード（モード３）≫
ＳＩ燃焼制御モードからＨＣＣＩ燃焼制御モードに移行する際に、昇温ＳＩ燃焼制御モード、或いはＨＣＣＩ燃焼制御モードで運転できない場合は昇温中間燃焼制御モードを実行する。この場合、昇温ＳＩ燃焼制御モードの目標操作値を使用しないで、燃料噴射制御及び点火制御を停止させると共に、吸排気バルブをＨＣＣI燃焼制御モードの目標操作値に移行させる。この場合、吸排気バルブの目標操作値は、昇温ＳＩ燃焼制御モードの場合と同じに設定しているが、これとは異なる目標操作値であっても良いものである。
【００７４】
これによって、ＳＩ燃焼制御モードからＨＣＣＩ燃焼制御モードへの移行時において実効圧縮比が増大することに伴って圧縮端温度Ｔｃが上昇する。ただ、燃料噴射制御及び点火制御が停止されているので、図５Ｂの失火領域に入ることになる。尚、失火しても、そもそも燃料が存在しないので排気有害成分の増加を招かないものである。このように、圧縮端温度Ｔｃが上昇しても、混合気の燃焼が行われないことで、昇温ＳＩ燃焼制御モードで維持していた高温の内部ＥＧＲを掃気させることができ、燃焼室内の環境温度をノック限界温度Ｔｎｏｃｋ以下に低下させることができる。これによって、次の燃焼サイクルのＨＣＣＩ燃焼の昇温切り換え燃焼制御モードでの圧縮端温度Ｔｃを低下して、ＳＩストイキ燃焼領域での燃焼制御モードを実行できるようにしている。
【００７５】
つまり、圧縮端温度Ｔｃが高いままＳＩストイキ燃焼を実行すると、ＳＩ燃焼ノック領域(図２参照)に移行してノッキングを発生する恐れが出てくるので、燃料噴射制御及び点火制御を停止して混合気の燃焼を行なわないことで、圧縮端温度Ｔｃをノック限界温度Ｔｎｏｃｋ以下に低下しているものである。
【００７６】
尚、この時には、混合気の燃焼が行われないので機関トルクが低下する現象が発生するが、モータ機能付きオルタネータによって、機関トルク低下分のトルクアシストを行なって、トルク変動を抑制するようにしている。昇温中間燃焼制御モードが完了すると、ＨＣＣＩ燃焼の昇温切り換え燃焼制御モードが実行される。
【００７７】
≪昇温切り換え燃焼制御モード（モード４）≫
昇温中間燃焼制御モードからＨＣＣＩ燃焼制御モードに移行する際に、準備段階として図７に示すようにＨＣＣＩ燃焼への昇温切り換え燃焼制御モードを実行する。この昇温切り換え燃焼制御モードにおいては、昇温中間燃焼制御モードに切り替わる前の昇温ＳＩ燃焼制御モードの目標操作値を用いて燃料噴射制御及び点火制御を再開させ、筒内ガス燃料比(Ｇ/Ｆ)を量論混合比の近傍に制御してＳＩ燃焼を実行する。
【００７８】
このように、筒内ガス燃料比(Ｇ/Ｆ)を量論混合比の近傍に維持することで、発熱量を多くして燃焼温度を大きく高め、また、Ｎ−Ｏ／Ｌの設定によって更に高温の内部ＥＧＲを保持するようにしている。これによって、次の燃焼サイクルでの燃焼室の環境温度を上昇させることで圧縮端温度Ｔｃを高めて、ＨＣＣI燃焼が成立する環境条件を形成している。ＨＣＣＩ燃焼の昇温切り換え燃焼制御モード完了すると、ＨＣＣＩ燃焼制御モードが実行される。
【００７９】
≪ＨＣＣＩ燃焼制御モード（モード５）≫
ＨＣＣＩ燃焼制御モードは点火プラグによらずに圧縮による予混合自己着火燃焼を実行するもので、点火制御は停止されるが内燃機関の動作状態に合わせた燃料噴射量、吸排気バルブタイミングで動作されている。尚、筒内ガス燃料比(Ｇ/Ｆ)は失火領域を飛び越えてリーン側に制御され、吸排気バルブタイミングは、バルブオーバーラップを有さないＮ-Ｏ/Ｌとされている。
【００８０】
更に、図８に基づいてＳＩ燃焼制御モードからＨＣＣＩ燃焼制御モードへの切り換えを実行した場合の状態量の変化について説明する。
【００８１】
昇温ＳＩ燃焼制御モードでは、吸気量の増加に合せて燃料噴射量を増加することによって筒内ガス燃料比(Ｇ/Ｆ)を量論混合比の近傍に保持し、更に点火時期を遅角して排気損失を増加させることで、出力を低下させて機関トルクの変動を抑制している。
【００８２】
次に、昇温中間燃焼制御モードでは、燃料噴射制御と点火制御を停止させることで、ノッキング及び混合気の自己着火燃焼の発生を無くして、実効圧縮比の増大に伴う異常燃焼の発生を抑制して昇温切り換え燃焼制御モードに切り換えることができる。
【００８３】
次に、昇温切り換え燃焼制御モードでは、燃料噴射制御及び点火制御を復帰させ、吸気量の増加と燃料噴射量の増加によって筒内ガス燃料比(Ｇ/Ｆ)を量論混合比の近傍に保持して発熱量を増加し、更に、点火時期を遅角して排気損失を増加させて出力を低下させることによって、機関トルクの変動を抑制している。
【００８４】
最後に、ＨＣＣＩ燃焼制御モードでは、燃料噴射量を減少して混合気の筒内ガス燃料比(Ｇ/Ｆ)を急速にリーン化すると共に、点火プラグによる点火制御を停止することで、ノッキングの発生を抑制して良好なＨＣＣＩ燃焼を行なうことができる。
【００８５】
このような制御を実行することによって、燃焼室内の圧縮端温度Ｔｃは、昇温ＳＩ燃焼制御モード、昇温中間燃焼制御モード、昇温切り換え燃焼制御モードを経過していく過程で、ノッキングや失火を含む異常燃焼が発生するのを抑制しながら、ＳＩ燃焼制御モードからＨＣＣＩ燃焼制御モードに移行して行く過程で順次高くなるように制御することができる。
【００８６】
次に、上述した制御フローにしたがった制御モードと燃焼領域について説明する。図９は、ＳＩ燃焼制御モードからＨＣＣＩ燃焼制御モードへの切り換えを実行した場合の、筒内ガス燃料比(Ｇ/Ｆ)と圧縮端温度Ｔｃ、及び燃焼領域の関係を、図２を基に示している。尚、「●」印はＳＩ燃焼制御モードからＨＣＣＩ燃焼制御モードに移行する期間の燃焼サイクルの通過点を例示的に示している。
【００８７】
ＳＩ燃焼制御モード(モード１)から昇温ＳＩ燃焼制御モード(モード２)に移行する場合は、筒内ガス燃料比(Ｇ/Ｆ)を量論混合比の近傍に維持して点火時期を遅角し、更にＮ-Ｏ/Ｌを設定することで、燃焼サイクルが増える毎に圧縮端温度Ｔｃが高くなっている。
【００８８】
次に、昇温ＳＩ燃焼制御モード(モード２)から中間燃焼制御（モード３）に移行する場合は、燃料噴射制御を停止するため筒内ガス燃料比(Ｇ/Ｆ)が無限大(≒空気)になり、筒内ガス燃料比(Ｇ/Ｆ)が量論混合比の近傍の状態に比べて、比熱比が低下するため圧縮端温度Ｔｃが高くなる。加えて、実効圧縮比が増大しているため圧縮端温度Ｔｃは更に高くなる。
【００８９】
次に、昇温中間燃焼制御モード（モード３）から昇温切り換え燃焼制御モード（モード４）に移行する場合は、筒内ガス燃料比(Ｇ/Ｆ)が量論混合比の近傍になるように、燃料噴射量を設定する。尚、前の燃焼サイクルで燃料噴射制御を停止しているため、Ｎ−Ｏ／Ｌの設定によって保持されていた内部ＥＧＲは掃気されることで、圧縮前の燃焼室内の混合気の温度はノック限界温度Ｔｎｏｃｋより低下されるようになる。
【００９０】
仮に、昇温中間燃焼制御モードで新気による掃気を行なわないで昇温切り換え燃焼制御モードに移行すると、昇温切り換え燃焼制御モードは「○」印で示した圧縮端温度Ｔｃになって、ＳＩ燃焼ノック領域に入ってしまい、ノックキングを発生することになる。これに対して、昇温中間燃焼制御モードを実行して、圧縮前の燃焼室内の燃焼室の環境温度を低下させているので、ＳＩ燃焼ノック領域での燃焼を回避してＳＩストイキ燃焼領域で燃焼を継続することができる。
【００９１】
次に、昇温切り換え燃焼制御モード(モード４)からＨＣＣＩ燃焼制御モード（モード５）に移行する場合は、目標操作値がＨＣＣI燃焼制御モードでの目標操作値に移行しているため、リーン側の目標筒内ガス燃料比(Ｇ/Ｆ)でＨＣＣＩ燃焼が実行される。尚、前の燃焼サイクルの昇温切り換え燃焼制御モードのＮ−Ｏ／Ｌの設定によって、昇温切り換え燃焼制御モードでの高温の排気ガスが保持されているので、ＨＣＣI燃焼制御モードへ移行するための圧縮端温度Ｔｃを更に高くすることができる。
【００９２】
以上説明した通り、本実施形態によれば、ＳＩ燃焼制御モードからＨＣＣＩ燃焼制御モードに切り換える時に、少なくとも可変バルブ機構の開閉位相、燃料噴射量、及び点火時期を適切に調整して昇温制御を実行することで、ＨＣＣＩ燃焼に移行する過程で燃焼室内の混合気の圧縮端温度を高めてＨＣＣＩ燃焼制御モードに移行させている。
【００９３】
これによれば、ＳＩ燃焼制御モードからＨＣＣＩ燃焼制御モードとの切り換える過程で、燃料噴射と点火、及び吸排気バルブの開閉位相が適切に制御されてシリンダ内の混合気の圧縮端温度がＨＣＣＩ燃焼に適した温度に設定でき、ノッキングや失火等の異常燃焼を避けながら、ＳＩ燃焼制御モードからＨＣＣＩ燃焼制御モードへの移行を良好に行うことができる。
【００９４】
また、吸気バルブの作動角によって吸気量を制御し、排気バルブの閉時期によって内部ＥＧＲ量を制御し、吸気バルブの作動角から推定される吸気量に基づき燃料噴射量を制御して目標空燃比に補正するので、吸排気バルブの動作によって、筒内ガス燃料比(Ｇ/Ｆ)及び圧縮端温度が推定できる。このため、目標操作値等の制御量の演算動作が軽減されるので、高速、高精度の制御を実現できる。
【００９５】
また、ＳＩ燃焼からＨＣＣＩ燃焼に切り換える過渡時において、推定された圧縮端温度と筒内ガス燃料比(Ｇ/Ｆ)とに基づいて、燃焼制御モードを判断することができるので、燃焼制御モードに則した可変バルブ機構の開閉位相、燃料噴射量、及び点火時期の適切な制御が可能となる。
【実施例２】
【００９６】
次に、本発明の第２の実施形態について図１０、図１１を用いて説明するが、第１の実施形態と共通する構成、及び作用、効果については、必要である場合を除いてその説明を省略する。第３の実施形態においては、ターボ過給機４を使用して吸気圧を正圧側に上昇させることで、燃焼室内の環境温度を高めることを目的としている。
【００９７】
尚、ターボ過給機４は、コンプレッサ側のバイパスバルブやタービン側のウエストゲートバルブ等によって作動時期を選択することができるので、ＳＩ燃焼制御モードからＨＣＣＩ燃焼制御モードへの移行が実行される運転領域で作動するように構成すると有利である。
【００９８】
図１０、図１１において、ＳＩ燃焼制御モードから昇温ＳＩ燃焼制御モードに移行すると、ターボ過給機４の動作を開始することによって、吸気圧力及び吸気密度が増加する。このため、燃焼室内の環境温度が上昇して圧縮端温度Ｔｃが高くなる。このようにターボ過給機４を活用することによって、ＨＣＣI燃焼に必要な圧縮端温度Ｔｃに早く到達させることができるので、ＳＩ燃焼制御モードとＨＣＣＩ燃焼制御モードの切り換え期間を短縮することができる。
【００９９】
つまり、昇温ＳＩ燃焼制御モードにおいては、ターボ過給機４による吸気量の増加及び実効圧縮比の増加に伴う圧縮端温度Ｔｃの増大効果のみならず、ＳＩ燃焼制御モードからＨＣＣＩ燃焼制御モードの切り換え過程の昇温中間燃焼制御モードへの期間を短縮する効果を奏するものである。
【０１００】
また、昇温中間燃焼制御モードにおいては、昇温ＳＩ燃焼制御モードより更にターボ過給機４による吸気圧力及び吸気密度が増大する。その際に、燃料噴射制御及び点火制御を停止して、図５Ｂの失火領域に入るように制御する。その結果、圧縮端温度Ｔｃを更に上昇させることができるようになる。ただ、この場合は燃焼が行われないので高温の内部ＥＧＲを掃気させることができ、燃焼室内の環境温度をノック限界温度Ｔｎｏｃｋ以下に低下させることができる。
【０１０１】
また、昇温切り換え燃焼制御モードにおいても、ターボ過給機４の動作によって吸気圧力及び吸気密度が増大するため、環境温度が上昇して次の燃焼サイクルの圧縮端温度Ｔｃが上昇するようになる。このような動作により、ＨＣＣI燃焼を実行する環境を早期に成立させることができる。
【実施例３】
【０１０２】
次に、本発明の第３の実施形態について図１２〜図１５を用いて説明するが、本実施形態は第２の実施形態を基本としている。このため、第２の実施形態と共通する構成、及び作用、効果については、必要である場合を除いてその説明を省略する。
【０１０３】
第３の実施形態においては、ターボ過給機４を使用した時にインタークーラ５を通過する空気量と、インタークーラ５を通過しない空気量の割合を変えて、高い温度の空気によって燃焼室内の環境温度を高めることを目的としている。また、昇温切り換え燃焼制御モードでの燃料消費量を低減し、更に排気損失を低減して燃費を向上することを目的としている。
【０１０４】
図１２は、第３の実施形態の内燃機関システムの構成を示しており、基本的な構成は図１で説明した内燃機関システムと同じ構成である。ただ、コンプレッサ３よりも下流側の構成が図１のものとは異なっている。
【０１０５】
コンプレッサ３の下流は２つの流路に分岐しており、第１流路２２にはインタークーラ５が備えられている。インタークーラ５の下流には、吸気流路を絞りシリンダ７Ｃに流入する吸入空気量を制御するための第１スロットル弁６が組付けられている。また、第２流路２３には、吸気流路を絞りシリンダ７に流入する吸入空気量を制御するための第２スロットル弁２４が組み付けられている。
【０１０６】
２つのスロットル弁６、２４は、アクセルペダル踏込量に応じて弁開度を制御することができる電子制御式スロットル弁である。そして、第１流路２２と第２流路２３とは、スロットル弁６、２４の下流で合流しており、その下流には吸気マニホールド８が接続されている。したがって、第１スロットル弁６の開度と、第２スロットル弁２４の開度との比率を変化させることによって、シリンダ７Ｃに供給される吸気温度を制御することができる。
【０１０７】
つまり、第１流路２２を通過する空気はインタークーラ５で冷却されるのに対し、第２流路２３を通過する空気は冷却されず高い温度を保っている。このため、第１流路２２を流れる空気の量を第１スロットル６で減少させ、第２流路２３を流れる空気の量を第２スロットル６で増大すると、シリンダ７Ｃに供給される全体の空気の温度は高くなる。一方第１流路２２を流れる空気の量を第１スロットル６で増大させ、第２流路２３を流れる空気の量を第２スロットル６で減少すると、シリンダ７Ｃに供給される全体の空気の温度は低くなる。したがって、ＳＩ燃焼制御モードからＨＣＣＩ燃制御モードに移行する過程で、第１流路２２を流れる空気の量を第１スロットル６で減少させ、第２流路２３を流れる空気の量を第２スロットル６で増大すると、吸気温度が高くなるので燃焼室内の環境温度を高めることが可能となる。
【０１０８】
図１３、図１４において、昇温ＳＩ燃焼制御モード、昇温中間燃焼制御モード、及び昇温切り換え燃焼制御モードに移行していく過程で、第１スロットル弁６の開度を徐々に減少させてインタークーラ５内に流入する空気量を減少し、逆に第２スロットル弁２４の開度を徐々に増大させていくことで、内燃機関に吸入される空気の温度を高めることができる。これによって、燃焼室内の環境温度を高めることで、圧縮行程時の圧縮端温度Ｔｃを更に高めることが可能となる。
【０１０９】
尚、本実施形態では、昇温切り換え燃焼制御モードでは第２の実施例と異なり、図１５の燃料噴射量の項目にある通り、燃料噴射量を減少してＳＩリーン燃焼領域で燃焼を行うようにしている。これによって燃料消費量を低減することができる。また、この時は点火時期の項目にある通り、リーン燃焼によるトルク低下を補償するため点火時期を進角側に制御している。更に、この点火時期の進角側への制御は、排気損失を低減して燃費を向上させることにも寄与している。
【０１１０】
ここで、筒内ガス燃料比(Ｇ/Ｆ)をＳＩリーン燃焼領域に維持することで、量論混合比の近傍に維持する場合に比べて燃焼温度が低下する恐れがある。しかしながら、第１スロットル弁６の開度を徐々に全閉に近づけ、第２スロットル弁２４の開度を徐々に全開に近づけていくことで、インタークーラ５内に流入する空気量を減少し、内燃機関に吸入される吸入空気の温度を高めたため、次の燃焼サイクルのＨＣＣI燃焼での燃焼室の環境温度を上昇させ、圧縮端温度Ｔｃを増加してＨＣＣI燃焼を実行する環境条件を成立させている。
【０１１１】
図１５は、ＳＩ燃焼制御モードからＨＣＣＩ燃焼制御モードへの切り換えを実行した場合の、筒内ガス燃料比(Ｇ/Ｆ)と圧縮端温度Ｔｃ、及び燃焼領域の関係を、図２を基に示している。尚、「●」印はＳＩ燃焼制御モードからＨＣＣＩ燃焼制御モードに移行する期間の燃焼サイクルの通過点を例示的に示している。
【０１１２】
基本的には、図９に示す動作と同じであるが、昇温切り換え燃焼制御モードにおいては、燃料噴射量が減少され、また、圧縮端温度Ｔｃが低下しているので、「○」印で示すＳＩ燃焼ノック領域からＳＩリーン燃焼領域に移行できるので、ノッキキング等の異常燃焼を避けることができる。更に、燃料噴射量を減少してリーン燃焼を行なうため燃料消費量を低減できる効果を奏する。加えて、点火時期が進角側に制御されているので、排気損失を低減して、更に燃費を向上させることができる。
【０１１３】
以上述べた通り本発明によれば、ＳＩ燃焼制御モードからＨＣＣＩ燃焼制御モードに切り換える時に、少なくとも燃料噴射と点火、及び吸排気バルブの開閉位相による昇温制御を実行して、ＨＣＣＩ燃焼に移行する過程で燃焼室内の混合気の圧縮端温度を高めてＨＣＣＩ燃焼制御モードに移行させる、構成とした。
【０１１４】
これによれば、ＳＩ燃焼制御モードからＨＣＣＩ燃焼制御モードとの切り換える過程で、燃料噴射と点火、及び吸排気バルブの開閉位相が適切に制御されてシリンダ内の混合気の圧縮端温度がＨＣＣＩ燃焼に適した温度に設定でき、ＳＩ燃焼制御モードからＨＣＣＩ燃焼制御モードへの移行を良好に行うことができる。
【０１１５】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【０１１６】
１…内燃機関、２…タービン、３…コンプレッサ、４…ターボ過給機、５…インタークーラ、６…スロットル弁、７…シリンダ７Ｃ、８…吸気マニホールド、９…吸気温度/圧力センサ、１０…流動強化弁、１１…燃料噴射弁、１２…吸気バルブ、１３…排気バルブ、１４、１５…バルブポジションセンサ、１６…点火プラグ、１７…クランク角度センサ、１８…排気温度/圧力センサ、１９…空燃比センサ、２０…ＥＣＵ。
【図１】
2020029788.tif 000003
【図２】
2020029788.tif 000004
【図３】
2020029788.tif 000005
【図４】
2020029788.tif 000006
【図５Ａ】
2020029788.tif 000007
【図５Ｂ】
2020029788.tif 000008
【図６】
2020029788.tif 000009
【図７】
2020029788.tif 000010
【図８】
2020029788.tif 000011
【図９】
2020029788.tif 000012
【図１０】
2020029788.tif 000013
【図１１】
2020029788.tif 000014
【図１２】
2020029788.tif 000015
【図１３】
2020029788.tif 000016
【図１４】
2020029788.tif 000017
【図１５】
2020029788.tif 000018